(57)【特許請求の範囲】
【請求項１】
第１辺と、前記第１辺と交差する第２辺と、前記第１辺と対向する第３辺と、前記第２辺と対向する第４辺と、を有する第１基板と、
対向電極を有する第２基板と、
前記第１基板と前記第２基板との間に配置され、前記第１辺、前記第２辺、前記第３辺及び前記第４辺に沿って配置されたシール材と、
を含み、
前記第１基板は、
画像表示領域に配置され、画素電極をそれぞれ有する複数の画素部と、
前記第１辺に沿って配置された複数の接続端子と、
前記第２辺と前記画像表示領域との間に配置され、走査線を介して前記複数の画素部を駆動するための走査線駆動回路と、
前記第１辺と前記画像表示領域との間に配置され、データ線を介して前記複数の画素部に画像信号を供給するデータ線駆動回路と、
前記複数の接続端子のうちの第１接続端子と前記走査線駆動回路を電気的に接続する走査線駆動回路用配線と、
前記複数の接続端子のうちの第２接続端子と前記データ線駆動回路とを電気的に接続するデータ線駆動回路用配線と、
前記対向電極と前記複数の接続端子うちの第３接続端子を電気的に接続する少なくとも１つの上下導通端子と、
前記第３接続端子と前記少なくとも１つの上下導通端子とを電気的に接続し、前記第２辺に沿って配置される部分を有する対向電極電位線と、
を含み、
前記少なくとも１つの上下導通端子のうちの第１導通端子は、前記画像表示領域の前記第２辺に沿った縁と前記第３辺に沿った縁の交差する第１の位置から、前記第１の位置から前記第２辺に向かう方向と、前記第１の位置から前記第３辺に向かう方向との間の方向に配置され、
前記少なくとも１つの上下導通端子は、前記画像表示領域の前記第１辺に沿った縁と前記第２辺に沿った縁の交差する第２の位置から、前記第２の位置から前記第１辺に向かう方向と、前記第２の位置から前記第２辺に向かう方向との間の方向には配置されず、
前記走査線駆動回路用配線は、
前記対向電極電位線と前記データ線駆動回路との間で、前記第２辺に沿って配置される第１部分と、
前記第１部分から前記第４辺の方向に配置される第２部分と、
を含み、
前記第１部分は、前記第２基板から前記第１基板に向かう方向から見たとき、前記シール材の前記第２辺に沿って配置される部分、及び前記シール材の前記第１辺に沿って配置される部分と前記シール材の前記第２辺に沿って配置される部分とが交差する部分であって前記少なくとも１つの上下導通端子が配置されない部分と重なることを特徴とする電気光学装置。
【請求項２】
前記走査線駆動回路は、前記シール材の前記第２辺に沿った部分の外縁と前記画像表示領域との間に配置されることを特徴とする請求項１に記載の電気光学装置。
【請求項３】
前記走査線駆動回路用配線は、
前記第１部分に電気的に接続され、前記第１部分から前記第４辺の方向に配置される第３部分と、
前記第３部分から前記第３辺の方向に配置される第４部分と、
を含み、
前記第３部分及び前記第４部分は、前記シール材の前記第２辺に沿って配置される部分の内縁と前記画像表示領域との間に位置することを特徴とする請求項１または２に記載の電気光学装置。
【請求項４】
前記データ線駆動回路から出力された駆動信号に基づいて、前記画像信号をデータ線に出力するサンプリング回路と、
前記複数の接続端子のうちの第４接続端子と前記サンプリング回路とを電気的に接続する画像信号線と、
をさらに含み、
前記画像信号線は、
前記第１部分と前記データ線駆動回路との間に前記第２辺に沿って配置され、前記第２基板から前記第１基板に向かう方向から見たとき前記シール材の前記第２辺に沿って配置される部分と重なる第５部分と、
前記第３部分と前記データ線駆動回路との間で、前記第５部分から前記第４辺の方向に配置され、前記第２基板から前記第１基板に向かう方向から見たとき前記シール材の前記第１辺に沿った部分と重なる第６部分と、
を含むことを特徴とする請求項１乃至３のいずれかに記載の電気光学装置。
【請求項５】
前記第２部分は、前記第１辺に沿って配置され、前記複数の接続端子の一部と、前記データ線駆動回路との間に配置されることを特徴とする請求項１乃至４のいずれかに記載の電気光学装置。
【請求項６】
請求項１乃至５のいずれかに記載の電気光学装置を含むことを特徴とする電子機器。
【発明の詳細な説明】
【技術分野】
【０００１】
本発明は、例えば液晶装置等の電気光学装置、及び該電気光学装置を備えた例えば液晶プロジェクタ等の電子機器の技術分野に関する。
【背景技術】
【０００２】
この種の電気光学装置では、例えばＴＦＴアレイ基板上に、マトリクス状に配列された複数の画素電極を備えており、これらの配列された平面領域が画像表示領域とされる。その動作時には、例えばデータ線、走査線等の配線を介して、画素スイッチング用ＴＦＴ等の電子素子に、画像信号、走査信号等が供給される。そして、画像信号等が電子素子から選択的に画素電極に供給されることでマトリクス駆動が行われる。即ち、複数の画素電極がマトリクス状に平面配列された画像表示領域における画像表示が行われる。このように構成したＴＦＴアレイ基板は、所定の隙間を介して対向基板と貼り合わされ、これらの基板間に液晶等の電気光学物質が封入される。このようなＴＦＴアレイ基板上の領域のうち、画像表示領域の周辺に位置する周辺領域には、走査信号を供給する走査線駆動回路、画像信号を供給するデータ線駆動回路等の駆動回路部が設けられており、更に、複数の外部回路接続端子及びこれらから駆動回路部へ引き回された画像信号線などを含む複数の引回配線、対向基板との電気的接続をとるための上下導通端子等が設けられている。
【先行技術文献】
【特許文献】
【０００３】
【特許文献１】特開平１０−２５３９９０号公報
【発明の概要】
【発明が解決しようとする課題】
【０００４】
しかしながら、周辺領域のうち、基板の法線方向から見て対向基板から張り出した張出領域に、上述の如き駆動回路部、外部回路接続端子、引回配線を形成する必要があり、加えて、張出領域には、マザー基板からの切断時に必要となるマージン領域を確保する必要もある。特に、駆動周波数を高くすることを避けつつ高精細の画像表示を行う目的で既に汎用化されているシリアル−パラレル展開された、或いは相展開された複数の画像信号が供給される型式の電気光学装置においては、これら複数の画像信号を供給するための外部回路接続端子の数及び画像信号線の数も増す。例えば、シリアル−パラレル展開の数或いは相展開数が、２４、４８、９６などの電気光学装置も開発されており、多数の外部回路接続端子及び多数の画像信号線の存在によって、張出領域は、大きくならざるを得ない。しかも、このような画像信号線は、データ線駆動回路の側方を通ってデータ線駆動回路の画像表示領域に近い側の領域に引き回される必要がある。このため、シリアル−パラレル展開の数が多いと、例えば配線幅と比較して格段に巨大である上下導通端子が配置されているＴＦＴアレイ基板の隅付近を、多数の画像信号線が通過せねばならない事態に陥る。加えて、走査線駆動回路は、データ線駆動回路が設けられた辺の両側又は片側の辺に沿って設けられる。このため、走査線駆動回路に至る引回配線については本来的に、やはり上下導通端子が配置されているＴＦＴアレイ基板の隅の付近を通過せねばならない。これらの結果、ＴＦＴアレイ基板におけるデータ線駆動回路の両側に位置する二隅付近では、顕著に配線レイアウトに余裕がなくなる。言い換えれば、係る二隅付近で配線領域が膨れて、第１基板全体の小型化を困難にしている。このように画像表示領域とはなり得ない張出領域或いは周辺領域の存在によって、画像表示領域の面積をそのままにしてＴＦＴアレイ基板の小型化ができない、或いは電気光学装置の小型化ができないという技術的問題点がある。
【０００５】
本発明は、上述した問題点に鑑みなされたものであり、画像表示領域の面積をそのまま確保しながら小型化可能である電気光学装置、及びそのような電気光学装置を備えた各種電子機器を提供することを課題とする。
【課題を解決するための手段】
【０００６】
本発明の電気光学装置は、第１辺と、前記第１辺と交差する第２辺と、前記第１辺と対向する第３辺と、前記第２辺と対向する第４辺と、を有する第１基板と、対向電極を有する第２基板と、前記第１基板と前記第２基板との間に配置され、前記第１辺、前記第２辺、前記第３辺及び前記第４辺に沿って配置されたシール材と、を含み、前記第１基板は、画像表示領域に配置され、画素電極をそれぞれ有する複数の画素部と、前記第１辺に沿って配置された複数の接続端子と、前記第２辺と前記画像表示領域との間に配置され、走査線を介して前記複数の画素部を駆動するための走査線駆動回路と、前記第１辺と前記画像表示領域との間に配置され、データ線を介して前記複数の画素部に画像信号を供給するデータ線駆動回路と、前記複数の接続端子のうちの第１接続端子と前記走査線駆動回路を電気的に接続する走査線駆動回路用配線と、前記複数の接続端子のうちの第２接続端子と前記データ線駆動回路とを電気的に接続するデータ線駆動回路用配線と、前記対向電極と前記複数の接続端子うちの第３接続端子を電気的に接続する少なくとも１つの上下導通端子と、前記第３接続端子と前記少なくとも１つの上下導通端子とを電気的に接続し、前記第２辺に沿って配置される部分を有する対向電極電位線と、を含み、前記少なくとも１つの上下導通端子のうちの第１導通端子は、前記画像表示領域の前記第２辺に沿った縁と前記第３辺に沿った縁の交差する第１の位置から、前記第１の位置から前記第２辺に向かう方向と、前記第１の位置から前記第３辺に向かう方向との間の方向に配置され、前記少なくとも１つの上下導通端子は、前記画像表示領域の前記第１辺に沿った縁と前記第２辺に沿った縁の交差する第２の位置から、前記第２の位置から前記第１辺に向かう方向と、前記第２の位置から前記第２辺に向かう方向との間の方向には配置されず、前記走査線駆動回路用配線は、前記対向電極電位線と前記データ線駆動回路との間で、前記第２辺に沿って配置される第１部分と、前記第１部分から前記第４辺の方向に配置される第２部分と、を含み、前記第１部分は、前記第２基板から前記第１基板に向かう方向から見たとき、前記シール材の前記第２辺に沿って配置される部分、及び前記シール材の前記第１辺に沿って配置される部分と前記シール材の前記第２辺に沿って配置される部分とが交差する部分であって前記少なくとも１つの上下導通端子が配置されない部分と重なることを特徴とする。
上記の本発明に係る電気光学装置は、第１辺と、前記第１辺と交差する第２辺と、前記第１辺と対向する第３辺と、前記第２辺と対向する第４辺と、を有する第１基板と、対向電極を有する第２基板と、前記第１基板と前記第２基板との間に配置され、前記第１辺、前記第２辺、前記第３辺及び前記第４辺に沿って配置されたシール材と、を含み、前記第１基板は、画像表示領域に配置され、画素電極をそれぞれ有する複数の画素部と、前記第１辺に沿って配置された複数の接続端子と、前記第２辺と前記画像表示領域との間に配置され、走査線を介して前記複数の画素部を駆動するための走査線駆動回路と、前記第１辺と前記画像表示領域との間に配置され、データ線を介して前記複数の画素部に画像信号を供給するデータ線駆動回路と、前記複数の接続端子のうちの第１接続端子と前記走査線駆動回路を電気的に接続する走査線駆動回路用配線と、前記複数の接続端子のうちの第２接続端子と前記データ線駆動回路とを電気的に接続するデータ線駆動回路用配線と、前記対向電極と前記複数の接続端子うちの第３接続端子を電気的に接続する少なくとも１つの上下導通端子と、前記第３接続端子と前記上下導通端子とを電気的に接続し、前記第２辺に沿って配置される部分を有する対向電極電位線と、を含み、前記少なくとも１つの上下導通端子のうちの第１導通端子は、前記画像表示領域の前記第２辺に沿った縁と前記第３辺に沿った縁の交差する第１の位置から、前記第１の位置から前記第２辺に向かう方向と、前記第１の位置から前記第３辺に向かう方向との間の方向に配置され、前記少なくとも１つの上下導通端子は、前記画像表示領域の前記第１辺に沿った縁と前記第２辺に沿った縁の交差する第２の位置から、前記第２の位置から前記第１辺に向かう方向と、前記第２の位置から前記第２辺に向かう方向との間の方向には配置されず、前記走査線駆動回路用配線は、前記対向電極電位線と前記データ線駆動回路との間で、前記第２辺に沿って配置される第１部分と、前記第１部分から前記第４辺の方向に配置される第２部分と、を含み、前記第１部分は、前記第２基板から前記第１基板に向かう方向から見たとき、前記シール材の前記第２辺に沿って配置される部分と重なることを特徴とする。
上記の本発明に係る電気光学装置は、第１辺と、前記第１辺と交差する第２辺と、前記第１辺と対向する第３辺と、前記第２辺と対向し前記第１辺および前記第３辺と交差する第４辺と、画像表示領域に配列されており、画素電極を夫々有する複数の画素部と、を有する基板と、前記画素電極と対向する対向電極と、前記基板と前記対向電極との間に配置され、前記第１辺、前記第２辺、前記第３辺及び前記第４辺に沿って延設されたシール材と、を含み、前記基板は、前記第１辺に沿って配列された複数の接続端子と、前記第２辺に沿った前記シール材の外縁と前記画像表示領域との間に位置し、走査線を介して前記複数の画素部を駆動するための走査線駆動回路と、前記第１辺と前記画像表示領域との間に配置され、データ線を介して前記複数の画素部に画像信号を供給するデータ線駆動回路と、前記複数の接続端子のうちの第１接続端子と前記走査線駆動回路とを電気的に接続する走査線駆動回路用配線と、前記複数の接続端子のうちの第２接続端子と前記データ線駆動回路とを電気的に接続するデータ線駆動回路用配線と、前記対向電極と電気的に接続された少なくとも１つの上下導通端子と、前記複数の接続端子のうちの第３接続端子と前記上下導通端子とを電気的に接続し、前記第２辺に沿って延在する部分を有する対向電極電位線と、を含み、前記１つの上下導通端子のうち第１上下導通端子は、前記第３辺と、前記画像表示領域の前記第３辺に沿った縁の前記第２辺の方向に延長した延長線と、の間に配置され、前記走査線駆動回路用配線は、前記対向電極電位線と前記データ線駆動回路との間で、前記第２辺に沿って延在する第１部分と、前記第１部分と前記第３辺との間で、前記第１部分から前記第４辺の方向に延在する第２部分と、を含み、前記少なくとも１つの上下導通端子は、前記第１辺と、前記画像表示領域の前記第１辺に沿った縁の前記第２辺の方向に延長した延長線と、の間には配置されていない。
【０００７】
本発明の電気光学装置によれば、その動作時には、外部回路から外部回路接続端子及び引回配線のうちのデータ線駆動用配線を経由して、データ線駆動回路を動作させるための、クロック信号、電源信号、制御信号、画像信号等の各種信号が、データ線駆動回路に供給される。これと並行して、外部回路から外部回路接続端子及び引回配線のうちの走査線駆動用配線を経由して、走査線駆動回路を動作させるための、クロック信号、電源信号、制御信号等の各種信号が、走査線駆動回路に供給される。他方で、引回配線のうち対向電極電位線を介して、更に上下導通端子及び上下導通材を介して、対向電極電位が対向電極に供給される。これらにより、データ線駆動回路によりデータ線を介して画像信号が画素部に供給されると共に、走査線駆動回路により走査線を介して走査信号が画素部に供給され、例えば画素電極及び対向電極間に挟持された、液晶等の電気光学物質を各画素部で駆動することで、アクティブマトリクス駆動が行なわれる。尚、このような走査線及びデータ線は、例えば、基板上に相互に交差するように且つ夫々複数配線される。また、このような画素部は、例えば、画素電極と、走査線にゲートが接続され且つデータ線から供給される画像信号を走査線から供給される走査信号に応じて画素電極へ選択的に供給する画素スイッチング用のＴＦＴとを有する。
【０００８】
本発明の電気光学装置では特に、上下導通端子は、データ線駆動用配線及び前記走査線駆動用配線よりも第３辺に近い側に配置されている。第３辺とは、外部回路接続端子及びデータ線駆動回路が配置された第１辺に、画像表示領域を挟んで対向する辺である。例えば、上下導通端子は、第１基板上における、第３辺の両端の二隅、や片端の一隅に配置される。従って、このような上下導通端子を、第１基板上における、第２基板の四隅に対応する個所に設ける場合と比較すると、第１辺の両端の二隅に上下導通端子が設けられていないことになる。従って、第１辺の両端の二隅に上下導通端子が存在しない分だけ、対向電極電位線或いは上下導通端子と同一の導電膜から、第１辺の両端の二隅付近に、引回配線を形成できることになる。ここに、上下導通端子のサイズは、引回配線の太さ或いは配線ピッチと比べて数倍或いは桁違いに巨大であり得るので、複数又はかなりの本数の引回配線を、係る第１辺の両端の二隅付近に、配線することが可能となる。従って、走査線駆動用配線、データ線駆動用配線、及び画像信号線のいずれか若しくはいずれについても、係る第１辺の両端の二隅付近に、余裕を持って配線することが可能となる。言い換えれば、これらの引回配線を配線するために必要な配線用領域を、係る第１辺の両端の二隅付近、即ち第１辺付近及び第２辺のうち係る第１辺の両端の二隅付近について、格段に縮小することが可能となる。この結果、張出部を小さくすることや、第１基板における第１辺を相対的に短くすることが可能となる。即ち、外部回路接続端子が配列された張出部或いは第１辺と、第２辺とについて、第１及び第２基板の平面形状を相互に同一に近付けること、即ち第１基板のサイズを相対的に小さくすることが可能となる。
【０００９】
以上の結果、本発明の電気光学装置によれば、電気光学装置における周辺領域を画像表示領域に対して狭めることが可能となり、画像表示領域を狭めることなく当該電気光学装置を小型化することが可能となる。そして特に、このような構成とすれば、複数の第１基板となるマザー基板上に複数の電気光学装置を形成した後に切断して個々の電気光学装置にするという汎用的な製造工程において、同一面積内により多くの電気光学装置を形成することが可能となる。同一マザー基板上に当該電気光学装置を数枚や十数枚或いは数十枚配列して製造する場合、例えば第１基板のサイズをコンマ数ｍｍや数ｍｍ程度に僅かに小さくできるだけでも、同一マザー基板上に一列や複数列だけ多く、或いは一行や複数行だけ多く、当該電気光学装置を形成することも可能となり得る。よって、このように第１基板のサイズを僅かに小さくできるだけでも、実用上は、極めて有益であり、その効果は絶大であると言える。
【００１０】
本発明の電気光学装置の一の態様では、前記上下導通端子は、前記第１基板における前記第３辺の端に位置する二隅のうち少なくとも一方に設けられている。
【００１１】
このように構成すれば、第３辺の二隅の一方又は両方に設けられた上下導通端子の存在が、走査線駆動用配線、データ線駆動用配線、及び画像信号線のみならず、データ線駆動回路及び走査線駆動回路に対しても、平面レイアウト上の邪魔になることは無い。しかも、対向電極電位線は、２辺の夫々について１本だけ、或いは２辺の一方について一本だけ引き回せば十分であるので、本態様に係る上下導通端子に至る対向電極電位線を引き回すための配線領域を確保することは比較的容易である。
【００１２】
本発明の電気光学装置の他の態様では、前記対向電極電位線は、前記第２辺に沿って前記走査線駆動回路よりも前記画像表示領域に近い側に配線されている部分を有する。
【００１３】
この態様によれば、第２辺に沿った部分については、対向電極電位線を、走査線駆動回路よりも画像表示領域に近い側に配線できるので、第１基板上における走査線駆動回路が形成された領域よりも外側の領域を、対向電極電位線を引き回すためだけに、むやみに広げないで済む。また、スクライブやダイシングの際に、対向電極電位線が断線することを効果的に未然防止できる。
【００１４】
但し、対向電極電位線は、第２辺に沿って前記走査線駆動回路よりも前記画像表示領域から遠い側に、即ち第２辺に係る基板の縁付近に配線されている部分を有してもよい。
【００１５】
本発明の電気光学装置の他の態様では、前記走査線駆動回路は、前記第１基板上において平面的に見て前記第２基板が重なる領域内に設けられている。
【００１６】
この態様によれば、第１基板における第１辺を、より一層短くすることが可能となり、第１及び第２基板の平面形状を、第２辺について、殆ど同一の輪郭を有するように構成することが可能となる。
【００１７】
本発明の電子機器は上記課題を解決するために、上述した本発明の電気光学装置（但し、その各種態様を含む）を具備してなる。
【００１８】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００１９】
本発明のこのような作用及び他の利得は次に説明する実施の形態から明らかにされる。
【図面の簡単な説明】
【００２０】
【図１】本発明の第１実施形態に係る、電気光学装置の全体構成を示す平面図である。
【図２】図１のＨ−Ｈ’の断面図である。
【図３】図１のＬ１２で示す領域を拡大して示す部分平面図である。
【図４】第１実施形態に係る、データ線駆動回路及びサンプリング回路に係る回路構成の概略を引回配線と共に示す回路図である。
【図５】第１実施形態に係る、上下導通端子から対向電極電位が供給される対向電極と画素回路とに係る回路構成の概略を示す回路図である。
【図６】第１実施形態の比較例における図１と同趣旨の平面図である。
【図７】第１実施形態の比較例における図３と同趣旨の部分平面図である。
【図８】第２実施形態における図３と同趣旨の部分平面図である。
【図９】電気光学装置を適用した電子機器の一例たるプロジェクタの構成を示す平面図である。
【図１０】電気光学装置を適用した電子機器の一例たるパーソナルコンピュータの構成を示す斜視図である。
【図１１】電気光学装置を適用した電子機器の一例たる携帯電話の構成を示す斜視図である。
【発明を実施するための形態】
【００２１】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００２２】
（第１実施形態）
第１実施形態に係る電気光学装置について、図１から図７を参照して説明する。
【００２３】
先ず、図１及び図２を参照して、本実施形態に係る電気光学装置の全体構成について、説明する。ここに図１は、本実施形態に係る電気光学装置の構成を示す平面図であり、図２は、図１のＨ−Ｈ’線での断面図である。
【００２４】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域５２ａに設けられたシール材５２により相互に接着されている。
【００２５】
図１において、シール材５２が配置されたシール領域５２ａの内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の第１辺に沿って設けられている。この第１辺に沿ったシール領域５２ａよりも内側に、サンプリング回路３０１が額縁遮光膜５３に覆われるようにして設けられている。また、走査線駆動回路１０４は、この第１辺に隣接する第２辺に沿ったシール領域５２ａの内側に、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。また、ＴＦＴアレイ基板１０上には、対向基板２０の第１辺に対向する第３辺の両端の二隅に、両基板間を上下導通材１０７で接続するための上下導通端子１０６が配置されている。これらにより、ＴＦＴアレイ基板１０と対向基板２０との間で電気的な導通をとることができる。
【００２６】
図２において、ＴＦＴアレイ基板１０上には、駆動素子である画素スイッチング用のＴＦＴ（thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００２７】
次に図３から図５を参照して、外部回路接続端子から引き回される引回配線の平面レイアウトの詳細について説明する。ここに図３は、図１の円領域Ｌ１２を拡大して示した部分平面図である。図４は、データ線駆動回路及びサンプリング回路に係る回路構成の概略を引回配線と共に示す回路図である。図５は、上下導通端子から対向電極電位が供給される対向電極と画素回路とに係る回路構成の概略を示す回路図である。
【００２８】
図３に示すように、本実施形態では特に、ＴＦＴアレイ基板１０は、その第１辺(図３中、下辺)において、平面的に見て対向基板２０より張り出した張出部１０ｅを有し、張出部１０ｅ上にある領域に、第１辺に沿って複数の外部回路接続端子１０２を備える。複数の外部回路接続端子１０２は、画像信号を供給するための画像信号用端子１０２ａ、走査線駆動回路１０４に、クロック信号、反転クロック信号、スタートパルス信号、走査方向制御信号、電源信号、その他の特殊制御信号等の各種信号を供給するための走査線駆動回路用端子１０２ｂ、及び上下導通端子１０６に対向電極電位或いは共通電位を供給するための対向電極電位用端子１０２ｃとを含む。尚、複数の外部回路接続端子１０２は、その他にも、データ線駆動回路１０１に、クロック信号、反転クロック信号、スタートパルス信号、走査方向制御信号、電源信号、その他の特殊制御信号等の各種信号を供給するための、不図示のデータ線駆動回路用端子、検査用の端子等も含む。
【００２９】
走査線駆動回路１０４は、第２辺（図３中、左辺）に沿って配置されており、走査線駆動回路用端子１０２ｂからは、走査線駆動回路用引回配線１１８が走査線駆動回路１０４まで引き回されている。
【００３０】
対向電極用端子１０２ｃからは、対向電極用引回配線７１が上下導通端子１０６（図１参照）まで第２辺に沿って引き回されている。
【００３１】
データ線駆動回路１０１は、第１辺に沿って配置されており、不図示のデータ線駆動回路用端子からデータ線駆動回路用引回配線がデータ線駆動回路１０１まで引き回されている。
【００３２】
画像信号用端子１０２ａからは、画像信号線１１５が、データ線駆動回路１０１の周囲に沿って引き回されている。画像信号線１１５からは、分岐配線１１６がサンプリング回路３０１へと配線されている。他方、データ線駆動回路１０１からは、サンプリング回路駆動信号線１１７が、サンプリング回路３０１へと配線されている。
【００３３】
これらデータ線駆動回路１０１及びサンプリング回路３０１に係る回路構成や、引回配線等による電気的な接続関係は、図４に示した通りである。
【００３４】
即ち図４に示すように、画像信号線１１５からの分岐配線１１６は、サンプリング回路３０１を構成するＴＦＴ等からなるサンプリングスイッチ３０２のソースに接続されており、データ線駆動回路１０１からのサンプリング回路駆動信号線１１７は、サンプリングスイッチ３０２のゲートに接続されている。よって、電気光学装置の動作時には、外部回路から画像信号用端子１０２ａに印加される画像信号は、画像信号線１１５からの分岐配線１１６を経てサンプリング回路３０１へ供給される。ここで、サンプリング回路３０１へ供給される画像信号は、６相にシリアル−パラレル展開された画像信号ＶＩＤ１〜ＶＩＤ６として、６本のデータ線６ａの組に対して、組毎にパラレル或いは並列に、サンプリング回路３０１に供給される。そして、画像信号は、データ線駆動回路１０１からサンプリング回路駆動信号線１１７を経て供給される、シフトレジスタ出力に基づくサンプリング回路駆動信号に応じたタイミングで、サンプリングされる。この際、画像信号ＶＩＤ１〜ＶＩＤ６が６相にシリアル−パラレル展開されている画像信号であるので、データ線駆動回路１０１は、サンプリング回路駆動信号を夫々、その最終段において６つに分岐することで、６本のデータ線６ａの組に対応する６個のサンプリングスイッチ３０２の組に対して同時に供給する。そして、６本のデータ線６ａの組毎に同時にサンプリングされた画像信号は、各データ線６ａに供給されることになる。
【００３５】
また、このような動作時には、外部回路から対向電極用端子１０２ｃに印加される対向電極電位ＬＣＣＯＭは、対向電極用引回配線７１及び上下導通端子１０６を介して、対向電極２１へと供給されることになる。
【００３６】
図５に示すように、上述のように対向電極電位ＬＣＣＯＭが供給される対向電極２１は、液晶層５０を挟んで画素電極９ａと対向配置されており、液晶容量５０ａを構築している。ここで、各画素部には、上述のように画像信号が供給されるデータ線６ａが、そのソースに接続された画素スイッチング用ＴＦＴ３０を有する。このＴＦＴ３０のゲートには、走査線駆動回路１０４（図１から図３参照）から走査信号が供給される走査線３ａが接続されている。従って、走査線３ａを介して走査信号が供給されるタイミングで、ＴＦＴ３０が導通状態とされることで、データ線６ａ及びＴＦＴ３０のソースドレイン間を介して画素電極９ａに画像信号が書き込まれることになる。尚、液晶容量５０ａにおける電位の保持特性を高めるために、液晶容量５０ａと並列に蓄積容量７０が構築されている。
このような蓄積容量７０は、所定電位を供給する容量線３００の一部又はこれに接続された固定電位側容量電極と、画素電極９ａに接続された画素電位側容量電極とが誘電体膜を介して対向配置されることで、構築される。
【００３７】
このように構成されているため、本実施形態に係る電気光学装置は、その動作時には、走査線駆動回路１０４により走査線３ａを介して走査信号が画素部に供給され、データ線駆動回路１０１によりデータ線６ａを介して画像信号が画素部に供給され、各画素部におけるアクティブマトリクス駆動が行なわれるのである。
【００３８】
再び図１において、本実施形態では特に、上下導通端子１０６は、第３辺に近い側に配置されている。第３辺とは、外部回路接続端子１０２及びデータ線駆動回路１０１が配置された第１辺に、画像表示領域１０ａを挟んで対向する辺である。上下導通端子１０６は、ＴＦＴアレイ基板１０上における、第３辺の両端の二隅に配置されている。
【００３９】
ここで図６及び図７に示した本実施形態に係る比較例と比較することで、上述の如く構成された本実施形態の作用効果について検討する。ここに図６は、本実施形態の比較例における図１と同趣旨の平面図である。図７は、本実施形態の比較例における図３と同趣旨の部分平面図である。
図６及び図７に示す比較例では、上下導通端子１０６は、ＴＦＴアレイ基板１０上における、対向基板２０の四隅に対応する個所に設けられている。その他の構成については、図１及び図３に示した実施形態と概ね同様である。このため、比較例においては、第１辺の両端の二隅に上下導通端子１０６が存在する分だけ、対向電極電位線７１或いは上下導通端子１０６と同一の導電膜から、第１辺の両端の二隅付近に、引回配線を形成できない。
【００４０】
図１及び図３に示した本実施形態の液晶装置では、図６及び図７の比較例に比べて、第１辺の両端の二隅に上下導通端子１０６が存在しない分だけ、対向電極電位線７１或いは上下導通端子１０６と同一の導電膜から、第１辺の両端の二隅付近に、引回配線を形成できる。ここに、上下導通端子１０６のサイズは、引回配線の太さ或いは配線ピッチと比べて数倍或いは桁違いに巨大であり得るので、複数又はかなりの本数の引回配線を、係る第１辺の両端の二隅付近に、配線することができる。従って、走査線駆動用配線１１８、データ線駆動用配線、及び画像信号線１１５のいずれか若しくはいずれについても、係る第１辺の両端の二隅付近に、余裕を持って配線することが可能となる。言い換えれば、これらの引回配線を配線するために必要な配線用領域を、係る第１辺の両端の二隅付近について、格段に縮小することが可能となる。この結果、張出部１０ｅを小さくすることや、ＴＦＴアレイ基板１０における第１辺を相対的に短くすることが可能となる。即ち、外部回路接続端子１０２が配列された張出部１０ｅ或いは第１辺と、第２辺とについて、ＴＦＴアレイ基板１０及び対向基板２０の平面形状を相互に同一に近付けること、即ちＴＦＴアレイ基板１０のサイズを相対的に小さくすることが可能となる。
【００４１】
以上の結果、本実施形態によれば、液晶装置における周辺領域を画像表示領域１０ａに対して狭めることが可能となり、画像表示領域１０ａを狭めることなく当該液晶装置を小型化することが可能となる。そして特に、このような構成とすれば、複数のＴＦＴアレイ基板１０となるマザー基板上に複数の液晶装置を形成した後に切断して個々の電気光学装置にするという汎用的な製造工程において、同一面積内により多くの液晶装置を形成することが可能となる。同一マザー基板上に当該液晶装置を数枚や十数枚或いは数十枚配列して製造する場合、例えばＴＦＴアレイ基板１０のサイズをコンマ数ｍｍや数ｍｍ程度に僅かに小さくできるだけでも、同一マザー基板上に一列や複数列だけ多く、或いは一行や複数行だけ多く、当該液晶装置を形成することも可能となり得る。よって、このようにＴＦＴアレイ基板１０のサイズを僅かに小さくできるだけでも、実用上は、極めて有益であり、その効果は絶大であると言える。
【００４２】
図１において、本実施形態では特に、上下導通端子１０６は、ＴＦＴアレイ基板１０における第３辺の二隅の両方に設けられている。
【００４３】
このため、第３辺の二隅の両方に設けられた上下導通端子１０６の存在が、走査線駆動用配線１１８、データ線駆動用配線、及び画像信号線１１５のみならず、データ線駆動回路１０１及び走査線駆動回路１０４に対しても、平面レイアウト上の邪魔になることは無い。しかも、対向電極電位線７１は、２辺の夫々について１本だけ引き回せば十分であるので、本実施形態に係る上下導通端子１０６に至る対向電極電位線７１を引き回すための配線領域を確保することは比較的容易である。尚、上下導通端子１０６は、ＴＦＴアレイ基板１０における第３辺の端に位置する二隅の一方だけに設けてもよい。この場合も同様に、平面レイアウト上の邪魔になることは無く、対向電極電位線７１は、２辺の一方について一本だけ引き回せば十分である。
【００４４】
図３において、本実施形態では更に、走査線駆動回路１０４は、ＴＦＴアレイ基板１０上において平面的に見て対向基板２０が重なる領域内に設けられている。従って、図６に示す比較例に比べて、ＴＦＴアレイ基板１０における第１辺を、ΔＷだけ短くすることができ、ＴＦＴアレイ基板１０及び対向基板２０の平面形状を、第２辺（図３中、左辺）について、殆ど同一の輪郭を有するように構成することが可能となる。
【００４５】
（第２実施形態）
次に、第２実施形態に係る液晶装置について、図８を参照して説明する。ここに図８は、第２実施形態における図３と同趣旨の平面図である。尚、図８において、図１から図３に示した第１実施形態に係る構成要素と同様の構成要素に同一の参照符合を付し、それらの説明は適宜省略する。
【００４６】
図８において、本実施形態では特に、対向電極電位線７１は、第２辺に沿った部分については、走査線駆動回路１０４よりも画像表示領域１０ａに近い側に配線されている。このため、ＴＦＴアレイ基板１０上における走査線駆動回路１０４が形成された領域よりも外側の領域を、対向電極電位線７１を引き回すためだけに、むやみに広げないで済む。また、スクライブやダイシングの際に、対向電極電位線７１が断線することを効果的に未然防止できる。
【００４７】
但し、対向電極電位線７１は、第２辺に沿って走査線駆動回路１０４よりも画像表示領域１０ａから遠い側に配線されている部分を有してもよい。
【００４８】
（電子機器）
次に、上述した電気光学装置である液晶装置を各種の電子機器に適用する場合について説明する。
【００４９】
まず、この液晶装置をライトバルブとして用いたプロジェクタについて説明する。図９は、プロジェクタの構成例を示す平面図である。この図９に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００５０】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００５１】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００５２】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００５３】
次に、液晶装置を、モバイル型のパーソナルコンピュータに適用した例について説明する。図１０は、このパーソナルコンピュータの構成を示す斜視図である。図１０において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００５４】
さらに、液晶装置を、携帯電話に適用した例について説明する。図１１は、この携帯電話の構成を示す斜視図である。図１１において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００５５】
尚、図９から図１１を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００５６】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ等にも適用可能である。
【００５７】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【符号の説明】
【００５８】
９ａ…画素電極、３ａ…走査線、６ａ…データ線、１０…ＴＦＴアレイ基板、１０ａ…画像表示領域、１０ｅ…張出部、２０…対向基板、２１…対向電極、２３…遮光膜、５０…液晶層、５２…シール材、５２ａ…シール領域、５３…額縁遮光膜、７１…対向電極用引回配線、１０１…データ線駆動回路、１０２、１０２ａ、１０２ｂ、１０２ｃ…外部回路接続端子、１０４…走査線駆動回路、１０６…上下導通端子、１０７…上下導通材、１１５…画像信号線、１１６…分岐配線、１１７…サンプリング回路駆動信号線、１１８…走査線駆動回路用配線、３０１…サンプリング回路、３０２…サンプリングスイッチ、ＬＣＣＯＭ…対向電極電位、ＶＩＤ１〜ＶＩＤ６…画像信号。
【図１】
0005590050.tif 000002
【図２】
0005590050.tif 000003
【図３】
0005590050.tif 000004
【図４】
0005590050.tif 000005
【図５】
0005590050.tif 000006
【図６】
0005590050.tif 000007
【図７】
0005590050.tif 000008
【図８】
0005590050.tif 000009
【図９】
0005590050.tif 000010
【図１０】
0005590050.tif 000011
【図１１】
0005590050.tif 000012